(57)【要約】【課題】引越し直後に転居先の病院や歯科医院等の所在地とそれぞれの医師、歯科医師又は薬剤師等の特徴に関する情報を転居の際に手軽に入手する。【解決手段】医療広告の依頼主が、病院、歯科医院又は薬局等の位置が表示された地図に、自己の医療に関する広告情報を掲載することを広告作成者に依頼する段階と、広告作成者が、特定の地域ごとに医療に関する広告情報を所定の媒体に作成する段階と、転居に関する運送業者等が、特定の地域に転居した人に対して医療に関する広告情報を掲載した、パンフレットや小冊子等の媒体を配布する段階と、を備えることにより、特定の地域における医師、歯科医師又は薬剤師等の医療に関する広告情報をそこに転居した人に供給する。【選択図】　　図３
2004038620.tif 000002
【特許請求の範囲】
【請求項１】
医師、歯科医師又は薬剤師等の医療に関する広告情報を、インターネットを使用して供給する方法であって、
医師、歯科医師又は薬剤師等の情報提供者に対して、予め記憶された特定の所在地を表示した地図情報に基づいて地図を表示し、該地図上において病院、歯科医院又は薬局等の位置を指定すると共に、前記広告情報の入力を促す段階と、
前記地図上において特定の地域に位置指定された病院、歯科医院又は薬局等の座標を、入力された医療に関する広告情報と関連づけて逐一記憶する段階と、
前記特定の地域に転居してきた転居者に対して、記憶された医療に関する広告情報を表示する段階と、
前記地図上の地点であって、記憶された病院、歯科医院又は薬局等の座標に相当する地点に、図像化した当該医療に関する広告情報の選択を促す段階と、
選択された医療に関する広告情報を読み出す段階と、
読み出された医療に関する広告情報を、前記転居者に対して出力する段階と、を備えた、ことを特徴とする医療に関する広告情報の供給方法。
【請求項２】
前記医師、歯科医師又は薬剤師等の情報提供者が、広告作成者に、予め記憶された特定の所在地を表示した地図情報に基づいて地図を表示し、該地図上において病院、歯科医院又は薬局等の位置を指定させると共に、前記広告情報を入力させる段階を、更に備えた、ことを特徴とする請求項１の医療に関する広告情報の供給方法。
【請求項３】
特定の地域における医師、歯科医師又は薬剤師等の医療に関する広告情報を、特定の地域に転居した人に供給する方法であって、
該医療広告の依頼主が、病院、歯科医院又は薬局等の位置が表示された地図に、自己の医療に関する広告情報を掲載することを広告作成者に依頼する段階と、該広告作成者が、特定の地域ごとに前記医療に関する広告情報を所定の媒体に作成する段階と、
転居に関する運送業者が、前記特定の地域に転居した人に対して前記医療に関する広告情報を掲載した媒体を配布する段階と、
を備えた、ことを特徴とする医療に関する広告情報の供給方法。
【請求項４】
特定の地域における医師、歯科医師又は薬剤師等の医療に関する広告情報を、特定の地域に転居した人に供給する方法であって、
該医療広告の依頼主が、病院、歯科医院又は薬局等の位置が表示された地図に、自己の医療に関する広告情報を掲載することを広告作成者に依頼する段階と、
該広告作成者が、特定の地域ごとに前記医療に関する広告情報を所定の媒体に作成する段階と、
前記特定地域への転居通知を受領した信販業者が、その転居通知を発した人に対して前記医療に関する広告情報を掲載した媒体を配布する段階と、
を備えた、ことを特徴とする医療に関する広告情報の供給方法。
【請求項５】
特定の地域における医師、歯科医師又は薬剤師等の医療に関する広告情報を、特定の地域に転居した人に供給する方法であって、
該医療広告の依頼主が、病院、歯科医院又は薬局等の位置が表示された地図に、自己の医療に関する広告情報を掲載することを広告作成者に依頼する段階と、
該広告作成者が、特定の地域ごとに前記医療に関する広告情報を所定の媒体に作成する段階と、
前記特定地域への転居の連絡を受けた各種業者が、その転居連絡を発した人に対して前記医療に関する広告情報を掲載した媒体を配布する段階と、
を備えた、ことを特徴とする医療に関する広告情報の供給方法。
【請求項６】
前記転居の連絡を受けた各種業者が、前記転居した人が預金している金融機関である、ことを特徴とする請求項５の医療に関する広告情報の供給方法。
【請求項７】
前記医療に関する広告情報はパンフレットであること、を特徴とする請求項３，４又は５の医療に関する広告情報の供給方法。
【請求項８】
前記医療に関する広告情報は小冊子であること、を特徴とする請求項３，４又は５の医療に関する広告情報の供給方法。
【請求項９】
前記特定地域の範囲は、転居者の住居を中心点として半径約２ｋｍの範囲であること、を特徴とする請求項１，３，４又は５の医療に関する広告情報の供給方法。
【発明の詳細な説明】
【０００１】
【発明の属する技術の分野】
本発明は、広告情報の供給方法に係り、特に引越しなどの転居者に対して転居先の医師、歯科医師又は薬剤師等の医療に関する広告情報の供給方法に関するものである。
【０００２】
【従来の技術】
従来より、パンフレットや印刷物等を用いて、地図上に商店、レストラン、教育機関、特定施設等（以下「商店等」という）の位置、この商店等の広告内容を掲載し、その商店等の広告を行う手段がある。また、テレビ、ラジオ等の一方向のメディアにより、視聴者、聴取者に対して広告情報を提供する手段もある。
【０００３】
一方、医師や歯科医師は、従来積極的な宣伝広告は規制されていたため、医療に関する情報については、口コミにより入手することが多かった。例えば、「内科」についてはＡ病院、「眼科」についてはＢ病院、あるいは「皮膚科」についてはＣ病院が評判が良いといった口コミ情報がある。歯科医師については、Ｄ歯科医院の評判が良いといった口コミ情報がある。更に、薬局等についても親切な薬剤師がいるのはＦ薬局といった情報が交わされるものである。そこで、そこの住民は自分の気に入った病院又は歯科医院に通院したり、又は薬局で薬を購入していた。
【０００４】
【発明が解決しようとする課題】
しかし、このような口コミによる医師、歯科医師又は薬剤師等の医療に関する情報については、その地域に長く住んでいるときは、近所の人から容易に入手することができる。しかし、引越し直後で近所の人との面識がない場合は、これらの医療に関する情報について入手することが困難であった。そこで、転居後に病気になったときは、病院や歯科医院等の所在地を電話帳で検索しなければならないという問題を有していた。
【０００５】
一方、インターネットを利用して医師、歯科医師又は薬剤師等の医療に関する情報を入手する方法もある。しかし、インターネットによる情報の入手では全国規模で展開している大手のポータルサイトには、膨大な量の情報があるために、その検索が困難であるという問題があった。即ち、情報利用者が自宅に近い病院をキーワード入力で検索するときに、「渋谷区　病院　小児科」とキーワード入力しても、これから自分に適した病院を決めるのには長時間を要するという問題があった。
【０００６】
本発明は、かかる問題点を解決するために創案されたものである。すなわち、本発明の目的は、引越し直後に転居先の病院や歯科医院等の所在地とそれぞれの医師、歯科医師又は薬剤師等の特徴に関する情報を転居の際に手軽に入手することができる広告情報の供給方法を提供することにある。
【０００７】
【課題を解決するための手段】
本発明のインターネットよる供給方法によれば、医師、歯科医師又は薬剤師等の医療に関する広告情報を、インターネットを使用して供給する方法であって、医師、歯科医師又は薬剤師等の情報提供者に対して、予め記憶された特定の所在地を表示した地図情報に基づいて地図を表示し、該地図上において病院、歯科医院又は薬局等の位置を指定すると共に、前記広告情報の入力を促す段階と、前記地図上において特定の地域に位置指定された病院、歯科医院又は薬局等の座標を、入力された医療に関する広告情報と関連づけて逐一記憶する段階と、前記特定の地域に転居してきた転居者に対して、記憶された医療に関する広告情報を表示する段階と、前記地図上の地点であって、記憶された病院、歯科医院又は薬局等の座標に相当する地点に、図像化した当該医療に関する広告情報の選択を促す段階と、選択された医療に関する広告情報を読み出す段階と、読み出された医療に関する広告情報を、前記転居者に対して出力する段階と、を備えた、ことを特徴とする医療に関する広告情報の供給方法が提供される。
【０００８】
前記医師、歯科医師又は薬剤師等の情報提供者が、広告作成者に、予め記憶された特定の所在地を表示した地図情報に基づいて地図を表示し、該地図上において病院、歯科医院又は薬局等の位置を指定させると共に、前記広告情報を入力させる段階を、更に備えることが好ましい。
【０００９】
上記発明の方法では、用意された医師、歯科医師又は薬剤師等の医療に関するホームページの広告情報を予めサーバが編集しておくため、情報利用者となる転居者が検索時にデータを収集する従来の方式よりも格段に速いレスポンスを実現することができる。転居者は、パソコンでアイコンと画面上の地図で、病院、歯科医院又は薬局等の情報に関するホームページを容易に検索ができるため、従来のようなキーワード入力やアドレス入力が不要になる。そこで、転居した特定の地域の医療に関する広告情報を手軽に検索することができ。
【００１０】
なお、広告情報については携帯電話等の携帯情報端末機に適した情報フォーマットに自動編集することにより、情報利用者は、端末の特性を意識することなく容易に情報を出力することができる。
【００１１】
また、本発明の運送業者等による供給方法によれば、特定の地域における医師、歯科医師又は薬剤師等の医療に関する広告情報を、特定の地域に転居した人に供給する方法であって、該医療広告の依頼主が、病院、歯科医院又は薬局等の位置が表示された地図に、自己の医療に関する広告情報を掲載することを広告作成者に依頼する段階と、該広告作成者が、特定の地域ごとに前記医療に関する広告情報を所定の媒体に作成する段階と、転居に関する運送業者が、前記特定の地域に転居した人に対して前記医療に関する広告情報を掲載した媒体を配布する段階と、を備えた、ことを特徴とする医療に関する広告情報の供給方法が提供される。
【００１２】
前記運送業者に代えて、転居通知を受領した信販業者又は転居の連絡を受けた各種業者が広告情報を掲載した媒体を配布することも可能である。この転居の連絡を受けた各種業者としては、転居した人が預金している銀行、信用金庫、郵便局等の金融機関がある。
【００１３】
前記医療に関する広告情報は、パンフレット又は小冊子である。前記特定地域の範囲は、転居者の住居を中心点として半径約２ｋｍの範囲であること、が好ましい。
【００１４】
上記発明の方法では、医師、歯科医師又は薬剤師等の医療に関する広告情報について、依頼主自身が自己の情報について提供するので、その詳細な内容と的確な情報をパンフレット又は小冊子等に掲載することができる。このパンフレット又は小冊子は、運送業者、信販業者又は金融機関によって転居者に配布される。そこで、引越し直後の転居先の病院や歯科医院等の所在地が全く不明なときに、その転居先の医師、歯科医師又は薬剤師等に関する情報を容易に入手できるので、転居者に有効に利用される。
【００１５】
医療に関する広告情報は、転居者の住居を中心点として半径約２ｋｍの範囲であるので、その転居者が利用しやすい医療施設の情報を供給することができる。
【００１６】
【発明の実施の形態】
以下、本発明の好ましい実施の形態を図面を参照して説明する。
図１はインターネットを用いた本発明の医療に関する広告情報の供給方法の第一の実施の形態を示すブロック図である。
第一の実施の形態では、医療に関する広告情報を供給する方法は、医師、歯科医師又は薬剤師等の情報提供者から広告作成者が作成した医療に関する広告情報をインターネットを使用して情報利用者となる転居者に供給する方法である。
【００１７】
第一の実施の形態では、先ず、医師、歯科医師又は薬剤師等の情報提供者に対して、予め記憶された特定の所在地を表示した地図情報に基づいて地図を表示し、この地図上において病院、歯科医院又は薬局等の位置を指定すると共に、広告情報の入力を促す。この広告情報としては専門診療科目、ベッド数、医師又は歯科医師の出身大学名等がある。医師、歯科医師又は薬剤師等の情報提供者は、広告作成者に、予め記憶された特定の所在地を表示した地図情報に基づいて地図を表示し、この地図上において病院、歯科医院又は薬局等の位置を指定させると共に、広告情報の入力させることも可能である。
【００１８】
次に、後述するようなインターネットのホームページの地図上の特定の地域における位置指定された病院、歯科医院又は薬局等の座標を、入力された医療に関する広告情報と関連づけて逐一記憶させる。そこで、特定の地域に転居してきた転居者は、インターネットにより、この記憶された医療に関する広告情報を自己のパソコンに表示することができる。その転居者は地図上の地点であって、記憶された病院、歯科医院又は薬局等の座標に相当する地点に、図像化した当該医療に関する広告情報の選択を促すことにより、その選択された医療に関する広告情報を読み出すことができる。この読み出された医療に関する広告情報は、プリントアウトすることができる。
【００１９】
転居者は、パソコン等の端末２でアイコンと画面上の地図で、病院、歯科医院又は薬局等の情報に関するホームページを容易に検索ができる。そこで、転居した特定の地域の医療に関する広告情報を手軽に検索することができる。この広告情報については携帯電話等の携帯情報端末機３に適した情報フォーマットに自動編集することにより、転居者は、端末の特性を意識することなく容易に情報を出力することができる。
【００２０】
図２は本発明の実施の形態におけるサーバの構成を示すブロック図である。
サーバ１は、インターネット常時接続回線を経由してインターネットに接続してある。このインターネットに、デスクトップ型パソコン、ＷｅｂＴＶ、マルチメディアフォン等の端末２を接続してある。また、ラップトップ型パソコン、モバイル端末機、携帯電話等の携帯情報端末機３を接続してある。各メディアの全ての情報は、このサーバ１で一元管理する。
【００２１】
サーバ１を形成し、制御手段として機能する情報編集制御部４は、ＣＰＵ等から成り、各構成の制御、データの転送、種々の演算、データの一時的な格納を行うものである。
【００２２】
入力制御手段として機能する情報登録制御部５は、インターネットを介在して、上述した各端末２，３等から、医療広告の依頼主から専門診療科目、経歴等の医療広告情報について入力されるデータを制御するものである。情報出力制御部６は、各端末２，３等に出力する広告情報についてのデータを制御するものである。
【００２３】
記憶手段には、病院、歯科医院又は薬局等のカテゴリマスタ７、業種マスタ８、地図データ９、位置データマスタ１０等の各種のファイルがあり、ここに情報が格納、記憶される。位置データマスタ１０は、情報編集制御部６において用いられるものであり、各端末２，３の表示部に案内画面を表示させるものである。カテゴリマスタ７は、文字検索により、例えば「医師」、「歯科医」、「薬局」等の検索しようとするカテゴリに必要な情報を得るための検索用プログラム等から成るものである。業種マスタ８は、文字検索により、「内科」、「皮膚科」、「腹痛の薬」等の検索しようとする必要な情報を得るための検索用プログラム等から成るものである。
【００２４】
地図データ９は、数層の階層構造であり、上層は特定地方の地図であり、下層は特定区分の地図である。なお、各層の地図は、いずれも画像ファイル形式である。なお、アイコンのビットマップデータは、それぞれ業種毎に異なって記憶されている。位置データマスタ１０は、地図上に所望とする医療の病院等を表示させるものである。
【００２５】
図３は転居に関する運送業者等が医療に関する広告情報を供給する第二の実施の形態を示すブロック図である。
本発明の第二の実施の形態では、医師、歯科医師又は薬剤師等の医療に関する広告情報を、特定の地域に転居した人に印刷物等の媒体により直接供給する方法である。先ず、医師、歯科医師又は薬剤師等の医療広告の依頼主は、自己の病院、歯科医院又は薬局等の位置が表示された地図に、自己の医療に関する広告情報を掲載することを広告作成者に依頼する。この依頼を受けた広告作成者は、その特定の地域ごとに医療に関する広告情報を所定の媒体に作成する。この特定地域の範囲は、転居者の住居を中心点として半径約２ｋｍの範囲である。
【００２６】
この広告情報の媒体としては、パンフレットや小冊子である。このように、医師、歯科医師又は薬剤師等の医療に関する広告情報については、依頼主となる本人が自己の情報について提供するので、詳細な内容と的確な情報が豊富なパンフレット又は小冊子となる。
【００２７】
次に、このように作成した医療に関する広告情報を掲載したパンフレットや小冊子は、引越し業者のような運送業者が、その引越しの際に、転居した人に対して配布する。この医療に関する広告情報が、例えば引越し直後、即ち転居先の病院や歯科医院等の所在地が全く不明なときに、その転居先の医師、歯科医師又は薬剤師等に関する情報を容易に入手できるので、大変に有効に利用される。
【００２８】
このパンフレット又は小冊子を転居者に配布する者は、運送業者に限定されない。例えば、引越しの際に転居者が接する機会が高い、信販業者や銀行等の金融業者でもよい。例えば、信販業者は転居通知を受領する際に、その転居通知を発した人に対して医療に関する広告情報を掲載した媒体を配布する機会がある。また、銀行等の金融業者も転居の連絡、あるいは新たに口座を開設する際に、パンフレット又は小冊子が転居者に配布する。更に、転居先の新聞配達業者や保険代理店も配布することができる。
【００２９】
なお、本発明は上記実施の形態にのみ限定されるものではなく、情報利用者は、医師、歯科医師又は薬剤師に限定されずに、マッサージ、鍼灸、エステティックサロン等の情報であってもよい。また、転居の際に接する機会がある業者であれば、運送業者、信販業者又は金融業者以外の業者にパンフレット又は小冊子等を配布させることができ、そのため本発明の要旨を逸脱しない範囲内において種々変更を加え得ることは勿論である。
【００３０】
【発明の効果】
上述したように、本発明の医療に関する広告情報の供給方法は、用意されたホームページの情報を予めサーバが自動的に業種別や地域別に編集しておくため、転居者に対して医療に関する広告情報等の提供を格段に速いレスポンスで実現できる。
【００３１】
また、転居者に印刷物等の媒体により直接供給する方法では、引越し直後の転居先の病院や歯科医院等の所在地が全く不明なときに、その転居先の医師、歯科医師又は薬剤師等に関する情報を容易に入手できるので、転居者に大変に有効に利用してもらえる。
【００３２】
パンフレット又は小冊子には、医師、歯科医師又は薬剤師等の医療に関する詳細な内容と的確な情報が掲載されているので、利用性の高い医療情報を提供することができる、等の優れた効果がある。
【図面の簡単な説明】
【図１】本発明のインターネットによる医療に関する広告情報の供給方法を示すブロック図である。
【図２】本発明の実施の形態におけるサーバの構成を示すブロック図である。
【図３】本発明の印刷物等の媒体により直接供給による医療に関する広告情報の供給方法を示すブロック図である。
【符号の説明】
１　サーバ
２　端末（パソコン）
３　携帯情報端末機
４　情報編集制御部
５　情報登録制御部
６　情報出力制御部
７　カテゴリマスタ
８　業種マスタ
９　地図データ
１０　位置データマスタ
１１　情報テーブル
【図１】
2004038620.tif 000003
【図２】
2004038620.tif 000004
【図３】
2004038620.tif 000005